(57)【特許請求の範囲】
【請求項１】
矩形形状を有する複数枚の用紙が重ねられ、前記重ねられた複数枚の用紙の左側端付近で接着され一体化されてなる冊子状フォームであって、
前記複数枚の用紙のうち、最上位の用紙と最下位の用紙が同一寸法で形成され、前記最上位の用紙と前記最下位の用紙の間に挟み込まれている用紙の幅寸法が、前記最上位の用紙と前記最下位の用紙の幅寸法よりも短い寸法で形成され、
前記最下位の用紙上には、該用紙の右側端に揃えて封筒上紙が重ねられ、コ字状に塗布された接着剤により接着されて一辺開封の封筒部が形成され、
前記最上位の用紙と前記封筒上紙とが直接重なり合う部分において、前記最上位の用紙の裏面側の所定位置に接着剤が線状に塗布され、
前記封筒上紙の表面上において、前記最上位の用紙の裏面側に塗布された接着剤と重なる領域に剥離剤層が設けられ、
前記最上位の用紙の裏面側に線状に塗布された接着剤が、前記封筒上紙の表面側に設けられた剥離剤層に対して剥離可能に接着されていることを特徴とする冊子状フォーム。
【請求項２】
前記最下位の用紙上には、前記封筒部の開封側に沿って粘着剤層が所定の幅で設けられ、前記粘着剤層上に剥離テープが剥離可能に設けられていることを特徴とする請求項１記載の冊子状フォーム。
【発明の詳細な説明】
【技術分野】
【０００１】
本発明は、矩形形状を有する複数枚の用紙が重ねられ、前記重ねられた複数枚の用紙の一端側が接着され一体化されてなる冊子状フォームに関する。
【背景技術】
【０００２】
従来、販売促進用のダイレクトメールや広告宣伝用の印刷物などとして、複数の用紙を重ね合わせ一辺側で綴じて一体化させた冊子が用いられ、種々の構成の冊子が提案されている。（例えば、特許文献１、２参照）
また、データベースに登録されている個人情報を使用して、プリンタで個人情報を印字するとともに、予め印刷した共通の販売促進情報や、個々の顧客のニーズに応じて選択した販売促進情報をプリンタで印字するなどした用紙を、複数枚重ねた冊子状フォームも使用されている。
【０００３】
【特許文献１】特開平５−４２７８４号公報
【特許文献２】特開２００７−２８３５５９号公報
【０００４】
例えば、保険の販売促進を郵送で行なう場合について説明すると、保険会社が販売促進を行う顧客が、既に自社の保険に入っている際には、冊子状フォーム内の用紙にその顧客が現在入っている保険情報を印字させて、顧客が確認できるようにすると共に、その顧客に対してさらにどのような保険に加入することが好ましいかということを通知することで、顧客毎に最適な保険商品を提案できるようにしている。
【０００５】
このように顧客毎に異なる情報の通知を保険会社から大量に行なうには、複数枚の連続用紙を用いて、宛先情報や保険情報などをプリンタで連続的に印字した後に、それらの連続用紙を重ね合わせて丁合いし、１セットごとに断裁し、更にそれらを窓開き封筒に封入封緘して発送処理を行なっている。
【０００６】
しかしながら、顧客に提供する保険商品情報が多い場合には、冊子の枚数も増えることから、封入封緘の処理を行なう際に、冊子の綴じられていない側の紙片が捲れるなどして、折れ曲がったり、破れたりするという問題がある。
また、特許文献２に記載された冊子のように、弱接着剤を用いて最上位の用紙と最下位の用紙を接着させて、剥離可能な状態とした構成が知られているが、冊子の用途に応じて、冊子内の重ねられた枚数が異なるために、冊子内の枚数が少ない場合や多い場合などの状況に対応させて、弱接着剤の接着力を適切な状態に調整するのは難しいという問題がある。
【０００７】
また、ダイレクトメールとして冊子を受け取った場合に、申込書を郵送する際に使用する申込み用の封筒が同封されていることがあるが、ダイレクトメールとは別に封筒も同封しなければならず面倒であり、コストもかかるという問題がある。
【発明の開示】
【発明が解決しようとする課題】
【０００８】
そこで、本発明は、冊子の枚数が多い場合であっても、封入封緘の処理を行なう際に、冊子の綴じられていない側の紙片が捲れるなどして、折れ曲がったり、破れたりすることを防止すると共に、冊子内に申込書などがある場合でも、それらの申込書を同封して郵送するための封筒を冊子とは別に容易する必要がない冊子状フォームを提供する。
【課題を解決するための手段】
【０００９】
本発明の冊子状フォームは、矩形形状を有する複数枚の用紙が重ねられ、前記重ねられた複数枚の用紙の左側端付近で接着され一体化されてなる冊子状フォームであって、前記複数枚の用紙のうち、最上位の用紙と最下位の用紙が同一寸法で形成され、前記最上位の用紙と前記最下位の用紙の間に挟み込まれている用紙の幅寸法が、前記最上位の用紙と前記最下位の用紙の幅寸法よりも短い寸法で形成され、前記最下位の用紙上には、該用紙の右側端に揃えて封筒上紙が重ねられ、コ字状に塗布された接着剤により接着されて一辺開封の封筒部が形成され、前記最上位の用紙と前記封筒上紙とが直接重なり合う部分において、前記最上位の用紙の裏面側の所定位置に接着剤が線状に塗布され、前記封筒上紙の表面上において、前記最上位の用紙の裏面側に塗布された接着剤と重なる領域に剥離剤層が設けられ、前記最上位の用紙の裏面側に線状に塗布された接着剤が、前記封筒上紙の表面側に設けられた剥離剤層に対して剥離可能に接着されていることを特徴とする。
【００１０】
また、本発明の冊子状フォームは、前記最下位の用紙上には、前記封筒部の開封側に沿って粘着剤層が所定の幅で設けられ、前記粘着剤層上に剥離テープが剥離可能に設けられていることを特徴とする。
【発明の効果】
【００１１】
したがって、本発明の冊子状フォームは、最上位の用紙と、最下位の用紙上に貼付されている封筒上紙とが、一端側において剥離可能に接着されているので、冊子の枚数が多い場合であっても、封入封緘の処理を行なう際に、冊子の用紙片が捲れるなどして、折れ曲がったり、破れたりすることを防止すると共に、冊子内に申込書などがある場合でも、それらの申込書を冊子内に用意されている封筒を使用して郵送することができ、封筒を別に用意する手間や封筒を作成するためのコストを削減できるという効果がある。
【発明を実施するための最良の形態】
【００１２】
以下、本発明の実施形態に係る冊子状フォームを図面に基づいて詳細に説明する。
図１は、本発明の実施形態に係る冊子状フォームの斜視図、図２は、図１のＡ−Ａ線断面図、図３は、本発明の実施形態に係る冊子状フォームを分解状態にした平面図、図４は、本発明の実施形態に係る冊子状フォームの最上位の用紙をめくり上げた状態を示す斜視図、図５は、本発明の実施形態に係る冊子状フォームに関し、その使用方法を説明する図、図６は、本発明の実施形態に係る冊子状フォームから切り離した封筒を封緘させた状態を示す斜視図である。
【００１３】
図１及び図２に示すように、実施形態に係る冊子状フォーム１は、５枚からなる複数枚の用紙２ａ，２ｂ，２ｃ，２ｄ，２ｅが重ねられており、これらの重ねられた複数枚の用紙２ａ，２ｂ，２ｃ，２ｄ，２ｅの左側端付近において、直線状に塗布された接着剤３ａ，３ｂ，３ｃ，３ｄにより接着され一体化されている。
前記複数枚の用紙の内、最上位の用紙２ａと最下位の用紙２ｅの用紙は、それらの間に挟み込まれた中間にある複数の用紙よりも、接着された部分からの横幅の長さ寸法においてより長い寸法で形成されている。
また、最上位の用紙２ａの表面には、プリンタで宛名を印字するための宛名印字部６が設けられており、冊子状フォーム１を窓開き封筒に入れて郵送できるようになっている。
【００１４】
また、最上位の用紙２ａと最下位の用紙２ｅの用紙には、それらの用紙の両端側に沿って、用紙を機械で送る際に利用するマージナルパンチ孔４が等間隔で形成されている。
また、冊子の中間にある３枚の用紙２ｂ，２ｃ，２ｄについても、最上位の用紙２ａ及び最下位の用紙２ｇの左側端に揃えられている側である、左端側にマージナルパンチ孔４が等間隔で形成されており、各々の５枚の用紙２ａ，２ｂ，２ｃ，２ｄ，２ｅを搬送させて、重ね合わせて丁合する工程において用紙の送り孔として用いられる。
尚、マージナルパンチ孔４が形成されている部分については、冊子状フォーム１を顧客に郵送などして送る際には、体裁を良くするためにスリッターで切り取った状態としてもよい。
【００１５】
図３（ａ）〜（ｆ）には、各々の用紙２ａ，２ｂ，２ｃ，２ｄ，２ｅの構成がわかるように平面図が示されている。
冊子状に複数挟み込まれた中間の３枚の用紙２ｂ，２ｃ，２ｄは、接着された部分から横幅の長さ寸法が、下位側に重ねられている用紙に行くにしたがって、次第に少し長い寸法として形成されている。
つまり、中間の５枚の用紙２ｂ，２ｃ，２ｄは、下位に重ねられている用紙ほど横幅の長さが長く形成されていることから階段状となる状態で重ねられており、段差になっている各用紙の右端付近の部分の表面に所望の見出し情報が表示できるようになっている。
【００１６】
また、重ねられた５枚の用紙２ａ，２ｂ，２ｃ，２ｄ，２ｅには、左側の接着された部分に沿ってそれぞれ切り取りミシン５が形成されている。
これにより、各々の用紙２ａ，２ｂ，２ｃ，２ｄ，２ｅを切り取りミシン５から切り取れるようになっている。
また、上から４枚目に重ねられている用紙２ｄは、申込用紙となっており、最下位の用紙２ｅに設けられている封筒部に封入して郵送できるように、最下位の用紙２ｅの縦方向の幅寸法よりも狭い寸法として形成されている。
【００１７】
図３（ｆ）に示すように、最下位の用紙２ｅ上には、該用紙の右側端に揃えて、図３（ｅ）に示す封筒上紙７が重ねられている。
そして、最下位の用紙２ｅには、接着剤８がコ字状に塗布され、最下位の用紙２ｅ上に重ねられた封筒上紙７が接着されて、一辺開封の封筒部９が形成されている。
また、最下位の用紙２ｅの封筒部９の開封側に沿って、折り畳み用ミシン１０が形成されており、折り畳み用ミシン１０の左側には、折り畳み用ミシン１０に沿って粘着剤層１１が設けられ、更に、粘着剤層１１上には剥離テープ１２が剥離可能に貼付されている。
また、最下位の用紙２ｅの粘着剤層１１が設けられた左側には、粘着剤層１１に沿って切り取りミシン１３が形成されている。
【００１８】
図２及び図３（ｅ）に示すように、最上位の用紙２ａと封筒上紙７とが直接重なり合う部分には、最上位の用紙２ａの裏面側の所定位置に接着剤１４が線状に塗布されている。
また、封筒上紙７の表面上において、最上位の用紙２ａの裏面側に塗布された接着剤１４と重なる領域には剥離剤層１５が設けられている。
そして、最上位の用紙２ａの裏面側に線状に塗布された接着剤１４が、封筒上紙７の表面側に設けられた剥離剤層１５に対して剥離可能に接着されている。
【００１９】
つまり、冊子状フォーム１は、冊子状フォーム１の受取人が記載内容を見る際に、右側から用紙をめくり上げて、重ねられた用紙の記載内容が見られるようにするために、最上位の用紙２ａの裏面側に塗布された接着剤１４により一時的に封筒上紙７の右側端付近で接着状態として綴じられた状態とする必要があることから、剥離剤層１４上に接着剤１４が重なる状態にして接着力を弱めて、最上位の用紙２ａの一端部を摘み上げることで剥離できるように構成されている。
図４には、最上位の用紙２ａの一端部を指で摘み上げた状態が示されているが、最上位の用紙２ａは、剥離剤層１４が設けられることで、破れない状態で剥離可能となるように接着力が調整されている。
【００２０】
次に、図５及び図６を用いて、冊子状フォーム１の封筒部９の使用方法について説明する。
封筒部９は、冊子状フォーム１の受取人が、上から４枚目に重ねられている用紙２ｄの申込書を封入して郵送するために用いられる。
冊子状フォーム１の受取人は、図４に示すように、最上位の用紙２ａの右側端部を摘み上げることで、接着剤１４で接着された部分を剥離させた後に、用紙２ｄの申込書を切り取りミシン５から切り取り、更に、最下位の用紙２ｅの切り取りミシン１３から封筒部９を切り取る。
そして、図５に示すように、用紙２ｄを２つに折り畳んだ後に、封筒部９の開封側から用紙２ｄを封入させる。
【００２１】
その後、粘着剤層１１上から剥離テープ１２を剥離させる。
そして、最下位の用紙２ｅの折り畳みミシン１０から粘着剤層１１の部分を折り畳んで、図６に示すように、封筒部９を密封状態にする。
その後、密封状態にした封筒部９をポストに投函して郵送させる。
上記のように、冊子状フォーム１には、最下位の用紙２ｅに封筒部９が設けられているので、申込書などの郵送用紙がある場合でも、その封筒部９を用いて封入封緘した郵送できるように構成されている。
【図面の簡単な説明】
【００２２】
【図１】本発明の実施形態に係る冊子状フォームの斜視図である。
【図２】図１のＡ−Ａ線断面図である。
【図３】本発明の実施形態に係る冊子状フォームを分解状態にした平面図である。
【図４】本発明の実施形態に係る冊子状フォームの最上位の用紙をめくり上げた状態を示す斜視図である。
【図５】本発明の実施形態に係る冊子状フォームに関し、その使用方法を説明する図である。
【図６】本発明の実施形態に係る冊子状フォームから切り離した封筒を封緘させた状態を示す斜視図である。
【符号の説明】
【００２３】
１  冊子状フォーム
２ａ，２ｂ，２ｃ，２ｄ，２ｅ  用紙
３ａ，３ｂ，３ｃ，３ｄ  接着剤
４  マージナルパンチ孔
５，１３  切り取りミシン
６  宛名印字部
８，１４  接着剤
９  封筒部
１０  折り畳み用ミシン
１１  粘着剤層
１２  剥離テープ
１５  剥離剤層
【図１】
0005104566.tif 000002
【図２】
0005104566.tif 000003
【図３】
0005104566.tif 000004
【図４】
0005104566.tif 000005
【図５】
0005104566.tif 000006
【図６】
0005104566.tif 000007